(57)【要約】【課題】作業者の労力を軽減できる枝切り用鋸を提供する。【解決手段】枝切り用鋸１０は、長尺の操作棒１の先端部に固定された片刃の鋸本体２を備える。又、枝切り用鋸１０は、揺動板３と留め金板４、及び第１ばね部材５と第２ばね部材６を備える。揺動板３は、操作棒１の先端部と回動可能に連結している。留め金板４は、揺動板３の先端部と回動可能に連結し、先端部が鋸本体２と交差して延びている。留め金板４は、枝Ｂｒに突き刺し可能な複数の突き刺し刃４ａを一方の側縁に有し、突き刺し刃４ａが枝Ｂｒを保持した状態で、鋸本体２を往復動して枝Ｂｒを切断する。第１ばね部材５及び第２ばね部材６は、それらのばね力の合成力が鋸本体２の刃２ａを枝Ｂｒに向かって付勢するので、鋸本体２が枝Ｂｒの切り口から外れ難くなっている。【選択図】図４
2012170450.tif 000002
【特許請求の範囲】
【請求項１】
長尺の操作棒の先端部に固定された枝切り用鋸であって、
前記操作棒が伸長する方向に延びる片刃の鋸本体と、
基端部が前記操作棒の先端部と回動可能に連結し、先端部が前記鋸本体の刃が形成される方向と反対側に延びる帯状の揺動板と、
基端部が前記揺動板の先端部と回動可能に連結し、先端部が前記鋸本体と交差するように、当該鋸本体を越えて延びる鉤状の留め金板と、
前記揺動板の先端部が前記鋸本体から遠ざかるように、当該揺動板を回動させる力を付勢する第１ばね部材と、
前記揺動板と前記留め金板が折り重なるように、前記揺動板と前記留め金板が閉じる力を付勢する第２ばね部材と、を備え、
前記鋸本体は、当該鋸本体の刃が形成される方向と同じ方向に突出し、枝を受け入れて支持可能な突出片を基端部に有し、
前記留め金板は、前記突出片と対向し、当該突出片に支持された枝に突き刺し可能な複数の突き刺し刃を一方の側縁に有し、
これらの突き刺し刃の一部が枝を保持した状態で、前記鋸本体を往復動して当該枝を切断する枝切り用鋸。
【請求項２】
前記鋸本体を間にして、前記揺動板、前記留め金板、前記第１ばね部材、及び前記第２ばね部材を前記鋸本体の両側に一対に配置している請求項１記載の枝切り用鋸。
【請求項３】
前記留め金板は、枝を前記突出片に引き込むように、内側に湾曲した湾曲部を先端部側に有する請求項１又は２記載の枝切り用鋸。
【請求項４】
前記留め金板は、前記鋸本体の刃と干渉しないように、当該鋸本体と反対側に屈曲した屈曲片を他方の側縁に有する請求項１から３のいずれかに記載の枝切り用鋸。
【請求項５】
前記留め金板は、前記鋸本体の刃と干渉しないように、複数の前記突き刺し刃が当該鋸本体と反対側に屈曲している請求項１から３のいずれかに記載の枝切り用鋸。
【請求項６】
前記第１ばね部材及び前記第２ばね部材は、ねじりコイルばねからなり、
前記第１ばね部材及び前記第２ばね部材は、それらのばね圧を調整可能に配置されている請求項１から５のいずれかに記載の枝切り用鋸。
【発明の詳細な説明】
【技術分野】
【０００１】
本発明は、枝切り用鋸に関する。特に、樹木に生えた高所の枝を切り落とすために用いられる鋸の構造に関する。
【背景技術】
【０００２】
山間部などに生立する樹木が成長すると、架空線又は送電線に接触する心配がある。したがって、電力事業者は、架空線又は送電線の障害となる樹木を伐採することがある。この場合、伐採の対象となる樹木に生えた高所の枝を伐採する、いわゆる「枝切り」が実施されている。
【０００３】
例えば、高所作業車が立ち入り困難な山間部では、作業者が樹木に登り、高所の枝を切り落としていた。又、ホットスティックと呼ばれる絶縁棒の先端部に枝切り用鋸を装着し、地上からの操作で高所の枝を切り落としていた。
【０００４】
前者の枝切り作業は、作業員が高所に登るので、作業員の安全を確保することが容易でないことから、現在では、後者の長柄の枝切り用鋸による枝切り作業が実施されている。しかし、長柄の枝切り用鋸を用いて、目的の高所の枝を切り落とすことは、相当の熟練した伐採技能を必要としていた。又、後者の枝切り作業は、上方を仰ぎ見る姿勢を持続することが多く、作業者の労力を大きいものとしていた。
【０００５】
このような不具合を解消するため、枝に鋸刃を押し付ける力を大きくでき、かつ、作業者の労力を軽減可能な枝切断具が開示されている（例えば、特許文献１参照）。
【０００６】
特許文献１による枝切断具は、支持筒の内部に往復動可能に収容された作動軸と、作動軸の先端部に固定され、作動軸と一体に往復動して枝を切断する鋸刃と、支持筒の先端部に固定され、作動軸の往復動を案内するロッドガイドと、ロッドガイドに回動可能に取り付けられ、枝を係止可能な爪を有するフックと、フックの爪を鋸刃から離す方向へ常時回動付勢するばね部材と、フックの回動量を規制するストッパと、を備えて構成している。
【０００７】
更に、特許文献１による枝切断具は、フックの回動支点が作動軸の軸中心に対して偏心した位置に配置され、爪が作動軸の軸中心に対して回動支点の偏心方向と反対の方向へ突出している。又、鋸刃から遠ざかる方向へ延びるように、フックがロッドガイドに取り付けられると共に、爪が鋸刃に対して回動支点側へ出っ張らないように、フックがストッパで回動規制されている。
【０００８】
又、高所にある比較的径の大きい枝を安全かつ能率的に切り落とすことができる枝切り用鋸が開示されている（例えば、特許文献２参照）。
【０００９】
特許文献２による枝切り用鋸は、鋸刃と挟持杆を所定長さの柄体の先端部に備えている。鋸刃は、柄体の基部に設けられた操作部からの遠隔操作によって、進退自在な状態に配置されている。挟持杆は、鋸刃の刃面と略対面する状態に配置されると共に、その基端部を柄体の先端部に開閉自在に連結している。
【００１０】
更に、挟持杆は、ばね部材の反発力によって常に鋸刃の刃面に向けて回動するように付勢されている。又、挟持杆の中間部には、鋸刃に向けてストッパ片が突出形成され、挟持杆の先端部には、後退した鋸刃の先端部より長く突出した湾曲操作部を有している。そして、湾曲操作部を枝に当接して、鋸刃に対して挟持杆を開くことができる。
【先行技術文献】
【特許文献】
【００１１】
【特許文献１】特開２０００−２３６７４７号公報
【特許文献２】実開昭６２−８３４４１号公報
【発明の概要】
【発明が解決しようとする課題】
【００１２】
特許文献１による枝切断具は、作動軸と連結する動力伝達機構とエンジンを支持筒の基端部に備えている。エンジンを駆動すると、エンジンの出力軸の回転運動が動力伝達機構で直線往復運動に変換されて、作動軸を介して鋸刃を往復動できる。つまり、鋸刃で枝を切断できる。そして、特許文献１による枝切断具は、フックで枝を係止しながら、鋸刃で高所の枝を切断できるので、作業者の労力を軽減できるという利点がある。
【００１３】
しかしながら、特許文献１による枝切断具は、実態として電動鋸であり、重量物であるエンジンの携帯を必要としている。特許文献１によるエンジン付きの枝切断具は、例えば、傾斜の多い山間部を作業員が持ち運ぶには不便であるという問題がある。傾斜の多い山間部などでも持ち運びが容易な手動操作式の枝切断具が求められている。
【００１４】
一方、特許文献２による枝切り用鋸は、柄体の基部に設けた操作部（ハンドル）を往復動して、枝を切断する手動操作式の枝切断具であるが、挟持杆の中間部に設けたストッパ片を枝の下方から押し付けながら、操作部（ハンドル）を操作するので、作業者の労力を大きいものとしていた。
【００１５】
このように、特許文献２による枝切り用鋸は、持ち運びには便利であるが、作業者の労力を軽減することが困難であるという問題がある。持ち運びに便利であると共に、作業者の労力を軽減できる枝切り用鋸が求められている。そして、以上のことが本発明による課題といってよい。
【００１６】
本発明は、このような課題に鑑みてなされたものであり、持ち運びに便利であると共に、作業者の労力を軽減できる枝切り用鋸を提供することを目的とする。
【課題を解決するための手段】
【００１７】
本発明者は、鋸を下方に引くときは、高所の枝を切断することは容易であるが、鋸を上方に押し上げたときに、鋸が切り口から外れ、高所の切り口に鋸を再び戻す作業が作業者の負担になっていることに着目し、鋸が切り口から外れ難いリンク装置を手動操作式の枝切り用鋸に設けることにより、この課題が解決可能であると考え、これに基づいて、以下のような新たな枝切り用鋸を発明するに至った。
【００１８】
（１）本発明による枝切り用鋸は、長尺の操作棒の先端部に固定された枝切り用鋸であって、前記操作棒が伸長する方向に延びる片刃の鋸本体と、基端部が前記操作棒の先端部と回動可能に連結し、先端部が前記鋸本体の刃が形成される方向と反対側に延びる帯状の揺動板と、基端部が前記揺動板の先端部と回動可能に連結し、先端部が前記鋸本体と交差するように、当該鋸本体を越えて延びる鉤状の留め金板と、前記揺動板の先端部が前記鋸本体から遠ざかるように、当該揺動板を回動させる力を付勢する第１ばね部材と、前記揺動板と前記留め金板が折り重なるように、前記揺動板と前記留め金板が閉じる力を付勢する第２ばね部材と、を備え、前記鋸本体は、当該鋸本体の刃が形成される方向と同じ方向に突出し、枝を受け入れて支持可能な突出片を基端部に有し、前記留め金板は、前記突出片と対向し、当該突出片に支持された枝に突き刺し可能な複数の突き刺し刃を一方の側縁に有し、これらの突き刺し刃の一部が枝を保持した状態で、前記鋸本体を往復動して当該枝を切断する。
【００１９】
（２）本発明による枝切り用鋸は、前記鋸本体を間にして、前記揺動板、前記留め金板、前記第１ばね部材、及び前記第２ばね部材を前記鋸本体の両側に一対に配置してもよい。
【００２０】
（３）前記留め金板は、枝を前記突出片に引き込むように、内側に湾曲した湾曲部を先端部側に有することが好ましい。
【００２１】
（４）前記留め金板は、前記鋸本体の刃と干渉しないように、当該鋸本体と反対側に屈曲した屈曲片を他方の側縁に有することが好ましい。
【００２２】
（５）前記留め金板は、前記鋸本体の刃と干渉しないように、複数の前記突き刺し刃が当該鋸本体と反対側に屈曲していることが好ましい。
【００２３】
（６）前記第１ばね部材及び前記第２ばね部材は、ねじりコイルばねからなり、前記第１ばね部材及び前記第２ばね部材は、それらのばね圧を調整可能に配置されていることが好ましい。
【発明の効果】
【００２４】
本発明による枝切り用鋸は、揺動板と留め金板で構成されたリンク装置を操作棒の先端部に備え、留め金板に設けた突き刺し刃が枝を保持した状態で、鋸本体を往復動すると、鋸本体が枝から離間しないように、留め金板が枝に追従して前記リンク装置を変形させるので、鋸本体が枝の切り口から外れ難くなる。したがって、作業者の労力を軽減できる。
【００２５】
又、本発明による枝切り用鋸は、エンジンなどを設けない、簡易な構成の手動操作式の枝切り用鋸であるので、持ち運びに便利である。
【図面の簡単な説明】
【００２６】
【図１】本発明の第１実施形態による枝切り用鋸の構成を示す図であり、図１（Ａ）は、第１実施形態による枝切り用鋸の正面図、図１（Ｂ）は、図１（Ａ）の右側面図である。
【図２】第１実施形態による枝切り用鋸の正面図であり、第１実施形態による枝切り用鋸に備わる鋸本体を引いて、枝が鋸本体の先端部側に相対的に移動した状態図である。
【図３】第１実施形態による枝切り用鋸の部分図であり、図３（Ａ）は、第１実施形態による枝切り用鋸の要部を拡大した正面図、図３（Ｂ）は、図３（Ａ）のＡ−Ａ矢視断面図である。
【図４】第１実施形態による枝切り用鋸の正面図であり、第１実施形態による枝切り用鋸に備わる鋸本体を下方に引いたときの状態変化を想像線で示している。
【図５】第１実施形態による枝切り用鋸の正面図であり、第１実施形態による枝切り用鋸に備わる鋸本体を上方に押し上げたときの状態変化を想像線で示している。
【図６】本発明の第２実施形態による枝切り用鋸の構成を示す右側面図である。
【発明を実施するための形態】
【００２７】
以下、本発明の実施形態について、図面を参照しながら詳細に説明する。
［第１実施形態］
（枝切り用鋸の構成）
最初に、本発明の第１実施形態による枝切り用鋸の構成を説明する。図１は、本発明の第１実施形態による枝切り用鋸の構成を示す図であり、図１（Ａ）は、第１実施形態による枝切り用鋸の正面図、図１（Ｂ）は、図１（Ａ）の右側面図である。
【００２８】
図２は、第１実施形態による枝切り用鋸の正面図であり、第１実施形態による枝切り用鋸に備わる鋸本体を引いて、枝が鋸本体の先端部側に相対的に移動した状態図である。図３は、第１実施形態による枝切り用鋸の部分図であり、図３（Ａ）は、第１実施形態による枝切り用鋸の要部を拡大した正面図、図３（Ｂ）は、図３（Ａ）のＡ−Ａ矢視断面図である。
【００２９】
図１又は図２を参照すると、本発明の第１実施形態による枝切り用鋸１０は、長尺の操作棒１と片刃の鋸本体２を備えている。操作棒１は、中空のパイプ部材で構成することが好ましく、電気的に絶縁性を有することが好ましい。操作棒１は、複数のパイプ部材を連結して構成してもよく、基端部を確実に把持できることが好ましい。
【００３０】
図１又は図２を参照すると、鋸本体２は、操作棒１の先端部に着脱自在に固定されている。鋸本体２は、多数の刃２ａを一方の側縁に形成している。図示された鋸本体２は、多数の刃２ａが形成される側縁を内側に緩やかに湾曲して、カーブに沿って枝を切断する、いわゆる高枝鋸であるが、この高枝鋸も本発明が規定する操作棒１が伸長する方向に延びる片刃の鋸本体に含まれる。又、図示された鋸本体２は、引くときに材料を切断する構造を採用している。
【００３１】
又、図１又は図２を参照すると、鋸本体２は、突出片２ｂを基端部に有している。突出片２ｂは、多数の刃２ａが形成される方向と同じ方向に突出している。そして、突出片２ｂは、枝Ｂｒを受け入れて支持することができる。突出片２ｂは、鋸本体２と一体に形成してもよく、鋸本体２と別体に構成してもよい。
【００３２】
図１から図３を参照すると、枝切り用鋸１０は、帯状の揺動板３と鉤状の留め金板４を備えている。揺動板３は、その基端部が操作棒１の先端部に設けた支軸３１ａと回動可能に連結している。又、揺動板３は、その先端部が鋸本体２の刃２ａが形成される方向と反対側に延びている。操作棒１の先端部には、ストップピン３１ｐを設けている。揺動板３は、その一辺がストップピン３１ｐに当接して、時計方向の回動が規制されている。
【００３３】
図１から図３を参照すると、留め金板４は、その基端部が揺動板３の先端部と連結ピン４１ａで回動可能に連結している。又、留め金板４は、その先端部が鋸本体２と交差するように、鋸本体２を越えて延びている。留め金板４は、ストップピン４１ｐを基端部側に設けている（図３参照）。ストップピン４１ｐが揺動板３の他辺に当接して、揺動板３と留め金板４の交差角度が規制されている。
【００３４】
図１から図３を参照すると、留め金板４は、内側に湾曲した湾曲部４１を先端部側に有している。操作棒１を操作して、湾曲部４１で枝Ｂｒを係合して突出片２ｂに引き込むことができる（図１参照）。
【００３５】
図１又は図３を参照すると、留め金板４は、屈曲片４ｂを他方の側縁に有している。屈曲片４ｂは、鋸本体２と反対側に屈曲しており、留め金板４が鋸本体２と交差したときに、留め金板４の他方の側縁が鋸本体２の刃２ａと干渉しないようになっている。
【００３６】
図１から図３を参照すると、留め金板４は、複数の突き刺し刃４ａを一方の側縁に有している。これらの突き刺し刃４ａは、突出片２ｂと対向するように配置されている（図１参照）。そして、操作棒１を操作して、突出片２ｂに支持された枝Ｂｒに突き刺し刃４ａを突き刺すことができる。
【００３７】
図３（Ｂ）を参照すると、複数の突き刺し刃４ａは、鋸本体２と反対側に屈曲しており、留め金板４が鋸本体２と交差したときに、複数の突き刺し刃４ａが鋸本体２の刃２ａと干渉しないようになっている（図１又は図２参照）。
【００３８】
図１から図３を参照すると、枝切り用鋸１０は、第１ばね部材５と第２ばね部材６を備えている。実施形態では、第１ばね部材５及び第２ばね部材６は、それぞれねじりコイルばねを用いている。
【００３９】
図１又は図２を参照すると、第１ばね部材５は、そのコイル部が支軸３１ａに係合されている。又、第１ばね部材５は、一方のアームの端部が操作棒１の先端部に係止し、他方のアームの端部が揺動板３の他辺に係止している。そして、第１ばね部材５は、揺動板３の先端部が鋸本体２から遠ざかるように、支軸３１ａを中心に揺動板３を時計方向に回動させる力を付勢している。
【００４０】
一方、図１又は図２を参照すると、第２ばね部材６は、そのコイル部が連結ピン４１ａに係合されている。又、第２ばね部材６は、一方のアームの端部が揺動板３の一辺に係止し、他方のアームの端部が留め金板４の他方の側縁に係止している。そして、第２ばね部材６は、揺動板３と留め金板４が折り重なるように、揺動板３と留め金板４が閉じる力を付勢している。
【００４１】
図３を参照すると、揺動板３は、複数の穴３１ｈを一端部側に開口している。これらの穴３１ｈの中から一つを選択して、第１ばね部材５の他方のアームの端部を係止することにより、第１ばね部材５のばね圧（ねじりモーメント）を調整できる。例えば、鋸本体２の刃２ａが枝Ｂｒの切り口に食い込み易くするために、第１ばね部材５のばね圧を強くすることも可能である。
【００４２】
又、図３を参照すると、揺動板３は、複数の穴３２ｈを他端部側に開口している。これらの穴３２ｈの中から一つを選択して、第２ばね部材６の一方のアームの端部を係止することにより、第２ばね部材６のばね圧（ねじりモーメント）を調整できる。例えば、大きな外形の枝Ｂｒを切断するときは、揺動板３と留め金板４が大きく閉角できるように、第２ばね部材６のばね圧を弱くすることも可能である。
【００４３】
（枝切り用鋸の作用）
次に、第１実施形態による枝切り用鋸１０の動作を説明しながら、枝切り用鋸１０の作用及び効果を説明する。図４は、第１実施形態による枝切り用鋸の正面図であり、第１実施形態による枝切り用鋸に備わる鋸本体を下方に引いたときの状態変化を想像線で示している。図５は、第１実施形態による枝切り用鋸の正面図であり、第１実施形態による枝切り用鋸に備わる鋸本体を上方に押し上げたときの状態変化を想像線で示している。
【００４４】
最初に、枝切り用鋸１０に備わる鋸本体２を下方に引いたときの動作を説明する。図１を参照して、枝切り用鋸１０を上方に持ち上げて、湾曲部４１で枝Ｂｒを係合して突出片２ｂに引き込み、突出片２ｂに支持された枝Ｅｒに突き刺し刃４ａを突き刺して、予め、突き刺し刃４ａの一部で枝Ｂｒを保持しておく。
【００４５】
次に、図４を参照して、図４の実線で示された状態から、矢印ａ１の方向に操作棒１を下げると、鋸本体２に対して枝Ｂｒが相対的に矢印ｂ１の方向に移動する。この間、留め金板４が枝Ｂｒに追従し、揺動板３と留め金板４が開角すると共に、揺動板３が反時計方向に回動する。
【００４６】
図４を参照して、鋸本体２に対して枝Ｂｒが相対的に矢印ｂ１の方向に移動している間は、第１ばね部材５は、揺動板３を時計方向に回転させる力Ｆ１を付勢している。又、第２ばね部材６は、揺動板３と留め金板４が閉角する力Ｆ２を付勢している。そして、これらの力Ｆ１と力Ｆ２の合力は、鋸本体２の刃２ａが枝Ｂｒに向かう力として作用する。したがって、枝Ｂｒの切断を容易にすると共に、鋸本体２の刃２ａが枝Ｂｒの切り口から離れ難く作用する。
【００４７】
図４を参照して、以下、同様に、矢印ａ２及び矢印ａ３の方向に操作棒１を下げると、鋸本体２に対して枝Ｂｒが相対的に矢印ｂ２及び矢印ｂ３の方向に移動する。この間、留め金板４が枝Ｂｒに追従し、揺動板３と留め金板４が開角すると共に、揺動板３が反時計方向に回動する。そして、枝Ｂｒの切り口が深くなるのにしたがって、力Ｆ１と力Ｆ２の合力が強くなっていくので、これに比例して、鋸本体２の刃２ａが枝Ｂｒの切り口から離れ難く作用する。
【００４８】
次に、枝切り用鋸１０に備わる鋸本体２を上方に押し上げたときの動作を説明する。図５を参照して、切断途上の枝Ｂｒが鋸本体２の先端部側に位置している状態から、矢印ｃ１の方向に操作棒１を上げると、鋸本体２に対して枝Ｂｒが相対的に矢印ｄ１の方向に移動する。この間、留め金板４が枝Ｂｒに追従し、揺動板３と留め金板４が閉角すると共に、揺動板３が反時計方向に回動する。
【００４９】
図５を参照して、鋸本体２に対して枝Ｂｒが相対的に矢印ｄ１の方向に移動している間は、第１ばね部材５は、揺動板３を時計方向に回転させる力Ｆ１を付勢している。又、第２ばね部材６は、揺動板３と留め金板４が閉角する力Ｆ２を付勢している。そして、これらの力Ｆ１と力Ｆ２の合力は、鋸本体２の刃２ａが枝Ｂｒに向かう力として作用する。したがって鋸本体２の刃２ａが枝Ｂｒの切り口から離れ難く作用する。
【００５０】
図５を参照して、以下、同様に、矢印ｃ２及び矢印ｃ３の方向に操作棒１を上げると、鋸本体２に対して枝Ｂｒが相対的に矢印ｄ２及び矢印ｄ３の方向に移動する。この間、留め金板４が枝Ｂｒに追従し、揺動板３と留め金板４が閉角すると共に、揺動板３が時計方向に回動する。そして、力Ｆ１と力Ｆ２の合力が鋸本体２の刃２ａが枝Ｂｒの切り口から離れ難く作用する。
【００５１】
このように、第１実施形態による枝切り用鋸１０は、図４に示された動作と図５に示された動作を交互に繰り返すことにより、鋸本体２が枝Ｂｒの切り口から外れることなく、高所の枝Ｂｒを容易に切断できる。
【００５２】
図１から図５を参照すると、枝切り用鋸１０は、揺動板３と留め金板４で構成されたリンク装置を操作棒１の先端部に備え、留め金板４に設けた突き刺し刃４ａが枝Ｂｒを保持した状態で、鋸本体２を往復動すると、鋸本体２が枝Ｂｒから離間しないように、留め金板４が枝Ｂｒに追従して前記リンク装置を変形させるので、鋸本体２が枝Ｂｒの切り口から外れ難くなる。したがって、作業者の労力を軽減できる。
【００５３】
又、図１から図５を参照すると、第１実施形態による枝切り用鋸１０は、エンジンなどを設けない、簡易な構成の手動操作式の枝切り用鋸であるので、例えば、傾斜の多い山間部を作業員が持ち運ぶには便利である。
【００５４】
［第２実施形態］
次に、本発明の第２実施形態による枝切り用鋸の構成及び作用を説明する。図６は、本発明の第２実施形態による枝切り用鋸の構成を示す右側面図である。なお、第１実施形態で用いた符号と同じ符号を有する構成品は、その作用を同一とするので、説明を省略する場合がある。
【００５５】
図６を参照すると、本発明の第２実施形態による枝切り用鋸２０は、鋸本体２を間にして、揺動板３、留め金板４、第１ばね部材５、及び第２ばね部材６を鋸本体２の両側に一対に配置している。枝切り用鋸２０は、一対の留め金板４・４で枝Ｂｒを突出片２ｂに引き込むことができる（図１（Ａ）参照）。枝切り用鋸２０は、一対の留め金板４・４で枝Ｂｒを保持できる（図４参照）。
【００５６】
第２実施形態による枝切り用鋸２０は、第１実施形態による枝切り用鋸１０と同様な効果を奏する他に、一対の留め金板４・４で枝Ｂｒを確実に保持できるというメリットがある。
【００５７】
本発明による枝切り用鋸を用いれば、以下の効果が期待できる。
（１）従来の枝切り作業に比べて、作業時間を短縮できる。
（２）枝切り作業に伴う労力を軽減できる。
（３）高度な伐採技能を必要としなくなる。
（４）樹木に登ることなく高所の枝を切断できるので、作業員の安全が確保される。
【００５８】
本発明は、架空線又は送電線の障害となる樹木を伐採するために好適な枝切り用鋸を開示したが、本発明による枝切り用鋸は、高所の枝を剪定又は間伐する高枝鋸として使用することもでき、用途は限定されない。
【符号の説明】
【００５９】
１  操作棒
２  鋸本体
２ａ  刃（鋸本体の刃）
２ｂ  突出片
３  揺動板
４  留め金板
４ａ  突き刺し刃
５  第１ばね部材
６  第２ばね部材
１０  枝切り用鋸
Ｂｒ  枝
【図１】
2012170450.tif 000003
【図２】
2012170450.tif 000004
【図３】
2012170450.tif 000005
【図４】
2012170450.tif 000006
【図５】
2012170450.tif 000007
【図６】
2012170450.tif 000008